(57)【要約】【目的】本発明は、イオン交換樹脂により軟水化する機能を有する、軟水器付き洗面器を提供することを目的とする。【構成】上下二層に構成したバケツ状容器の下層には、イオン交換樹脂層を設け上層には、洗面器部を設け、バケツ状容器の側面に設けた水道水導入口より水道水を導入し、下層のイオン交換樹脂層に導き、軟水化して、上層の洗面器部に洗面に適した軟水を、満たすようにした軟水器付き洗面器。【選択図】  図３
2004216084.tif 000002
【特許請求の範囲】
【請求項１】
上下二層に構成したバケツ状容器６の下層には、イオン交換樹脂２６を設け、上層には、洗面器１０を設け、前記バケツ状容器６の側面に設けた水道水導入口金４より水道水を導入し、下層のイオン交換樹脂２６に導き、軟水化して、上層の洗面器１０に洗面に適した軟水を、満たすようにした軟水器付洗面器
【発明の詳細な説明】
【０００１】
【産業上の利用分野】
本発明は、簡単に、軟水を利用して洗面することができる軟水器付洗面器に関するものである。
【０００２】
【従来の技術】
従来は、別のイオン交換樹脂軟水器より洗面器に軟水を満たし、洗面していた。
【０００３】
【発明が解決しようとする課題】
従来のように、別のイオン交換樹脂軟水器を利用して、洗面すると、大がかりにもなり、スペース的にも好ましくなかった。
そこで、本発明のように、軟水器と洗面器を一体型にすることにより、コンパクトで、安価で、使い易い、さらに、水道蛇口があるところ、風呂場、洗面所、台所どこでも移動して使用でき、また、ガス瞬間湯沸器にも、簡単に連結して、お湯で洗面することができる、便利な軟水器付洗面器を提供しようとするものである。さらに、水道水導入口金４に、液状又は、糊状しイオン交換樹脂を再生するチューブ入り再生剤７（食塩）を詰めたものを、セットして、簡単にイオン交換樹脂を再生できるようにした、便利な軟水器付洗面器を提供するものである。
【０００４】
【課題を解決するための手段】
上下二層に構成したバケツ状容器６の下層には、イオン交換樹脂２６を設け、上層には、洗面器１０を設け、前記バケツ状容器６の側面に設けた水道水導入口金４を構成する。前記水道水導入口金４より、水道水を導入し、下層のイオン交換樹脂２６に導き、軟水化して、上層の洗面器１０に洗面に適した軟水を満たすようにした軟水器付洗面器。
【０００５】
【作用】
本発明、軟水器付洗面器を水道蛇口１、又は水道蛇口１より、ガス瞬間湯沸器を介して、導管ホース２にて連結する。
前記バケツ状容器６の上方側面に設けた、前記水道水導入口金４より、前記バケツ状容器６の下層の、イオン交換樹脂２６に水道水、又は、お湯を導入し、前記イオン交換樹脂２６にて軟水化して、前記バケツ状容器６の上層に設けた、前記洗面器１０に、洗面に適した軟水を満たし洗面する。
【０００６】
【実施例】
本発明の具体的一実施例を図面により説明する。
（図１）は、本発明、軟水器付洗面器の使用時の外観見取図を示す。
４の水道水導入口金と、１の水道蛇口とを導管ホース２で連結して使用する。
水道蛇口１を開くと、前記水道水導入口金４より、前記バケツ状容器６の下層のイオン交換樹脂２６に水道水を導入し、前記イオン交換樹脂２６にて軟水化にして、前記バケツ状容器６の上層に設けた、前記洗面器１０に、洗面に適した軟水を満たし洗面する。
（図２）は、本発明、軟水器付洗面器の水道水導入口金４に、イオン交換樹脂２６を再生する、チューブ入り再生剤７を取り付けた時の外観見取図を示す。（詳しく後に説明する）
（図３）は、本発明、軟水器付洗面器の断面図を示す。
前記バケツ状容器６の上部側面には、水道水導入口金４がＯリング９を介し、取り付けられている。該水道水導入口金４には盲らキャップ５がＯリング８を介して固定されている。前記バケツ状容器６の中央底部には、前記イオン交換樹脂２６により、軟水化された軟水を、上方の洗面器１０に導く導パイプ２７が取り付けられている。
該導パイプ２７の下部には、導入口２７−１が設けられている。また、前記導パイプ２７の下部には、導入口２７−１を覆うように、筒状メッシュ１３がネジ１２で固定されている。
前記導パイプ２６の上部には、円板状布メッシュ２５が貼り付けられた、散水円板２４がネジ２４−１で固定されている。
前記導パイプ２７の上部には、洗面器１０がＯリング１９、２３を介して洗面器固定ねじ２２で固定されている。
前記バケツ状容器６の中央底部には、Ｏリング１５を介して、バネかけ１６が固定されている。
また、前記バケツ状容器６の底部には、Ｏリング１８を介して、水抜き栓１７が固定されている。
洗面器固定ねじ２２の上面には、円板状ゴムパッキン２１、ゴムパッキン押さえ２０が挿入され、前記バネかけ１６と、引っ張りバネ１４がかけられている。
（図４）は、（図３）の盲らキャップ５を外し、チューブ入り再生剤７をＯリング８を介して固定した軟水器付洗面器の断面図を示す。（作用は後で説明する）
【０００７】
（図５）は、バケツ状容器部の断面図を示す。
バケツ状容器６の内側面には、半円状の突起リブ６−１と、散水円板２４を受ける突起リブ６−２が設けられている。前記導パイプ２７にも散水円板２４を受けるリング２７−１が設けられている。前記導パイプ２７の上部には、洗面器固定ねじ２２のための、雄ネジ２７−２が設けられている。、
（図６）は、洗面器１０の見取図を示す。
底部には、前記導パイプ２７に嵌め込むための、穴１０−１が設けられている。
（図７）は、洗面器固定ねじ２２見取図を示す。
中心部には、ゴムパッキン押さえ２０を挿入する穴２２−２が設けられている。又、中心部周辺には、軟水の導入口２２−１が複数個設けられている。常時、円板状ゴムパッキン２１で塞がれている。
（図８）は、筒状メッシュ部の見取図を示す。
筒状メッシュ環１１に、筒状メッシュ１３が固定されている。筒状メッシュ１３は、イオン交換樹脂２６が流れださないためのものである。
（図９）は、散水円板２４の見取図を示す。
散水円板２４には、イオン交換樹脂２６全体を一様に水道水が流れるよう、シャワー状に散水せしめるための、小さい穴２４−２が多数設けられている。
（図１０）は、円板状布メッシュ２５の見取図を示す。
円板状布メッシュ２５は、散水円板２４に張り合わされる。イオン交換樹脂２６が流れださないためのものである
（図１１）は、チューブ入り再生剤７の見取図を示す。
チューブ入り再生剤７には、液状、又は、糊状にした食塩が入れられている。
劣化したイオン交換樹脂２６をナトリュームイオンで還元し、活性化するためのものである。（作用について、後で説明する）
【０００８】
このように構成された本発明、軟水器付洗面器の作用について、説明する。
（図１）のように、水道水蛇口１に導管ホース２で本発明、軟水器付洗面器を連結する。水道水蛇口１を開くと、（図３）の水道水導入口金４より、水道水が流入する。バケツ状容器６と洗面器１０の間を満たした水道水は、バケツ状容器６の半円状の突起リブ６−１で流路が狭められ、バケツ状容器６の内壁全周より、下層のイオン交換樹脂２６に流入する。その時、円板状布メッシュ２５張り合わ散水円板２４で、シャワー状に散水されてる。イオン交換樹脂２６に一様に接触して軟水化効率を上げるためのものである。
イオン交換樹脂２６の上層から下層に流れ、軟水化された軟水は、筒状メッシュ１３を通過し、導パイプ２７の下部の導入口２７−１より導パイプ２７を上方に流れ、円板状ゴムパッキン２１を押し上げ、洗面器１０に軟水が満たされる。
常時、円板状ゴムパッキン２１は、ゴムパッキン押さえ２０と、引っ張りバネ１４で、機密が保たれている。
洗面器１０に軟水が満たされたら、水道水蛇口１を閉じ、洗面する。水道水蛇口１を開いたまま、オーバーフローさせながら洗面することもできる。
洗面器１０に満たされた軟水で、洗顔すると、石鹸の泡立ちがよく、よく洗える洗顔し終わったら、再度、水道水蛇口１を開くと、オーバーフローしながら、新しい軟水に入れ替える。又は、軟水器付洗面器を転倒して、使用済みの水を捨ててから、水道水蛇口１を開き、新しい軟水を洗面器１０満たす。
水道水の硬水成分、Ｃａ、Ｍｇイオンがイオン交換樹脂２６を通過する時、イオン交換樹脂２６に吸着され、軟水化され洗顔に適した水、又は、お湯となるからである。
次にイオン交換樹脂２６が劣化して、軟水化できなくなったら、イオン交換樹２６を再生し、再活性化する必要がある。これについて説明する。
（図２）（図４）に示すように、盲らキャップ５を外し、チーブ入り再生剤７（液状、又は糊状にして詰めた食塩）をＯリング８を介して取り付ける。
水道水蛇口１を少し開き、少しずつ水道水を流しながら、チーブ入り再生剤７をゆっくりしぼる。水道水と食塩がよく混ざり、イオン交換樹脂２６層を流れるとき、イオン交換樹脂２６が、再生、活性化される。
即ち、Ｎａイオンで、イオン交換樹脂２６に吸着されたＣａ、Ｍｇイオンが還元され、再生、活性化されるのである。
【発明の効果】
本発明、軟水器付軟水器には、次のような効果がある。
（１）コンパクトで、安価で、泡立ちがよく、使用しやすい洗面器。
（２）洗面所、風呂場、台所等水道蛇口がある所、どこでも移動して使用できる
（３）ガス瞬間湯沸と連結して、お湯で泡立ちのよい洗顔ができる。
（４）洗面器部をきれいに洗えば、軟水ボウルとして利用できる。
（５）チーブ入り再生剤７で、イオン交換樹脂２６の再生が簡単にできる。
（６）バケツ状容器６は、分解容易で、広口構造なので、清掃、又は、イオン交換樹脂２６の交換が容易。
【図面の簡単な説明】
【図１】は、本発明、軟水器付洗面器の使用時の外観見取図を示す。
【図２】は、本発明、軟水器付洗面器の水道水導入口金４に、イオン交換樹脂２６のチューブ入り再生剤７を取り付けた時の外観見取図を示す。
【図３】は、本発明、軟水器付洗面器の断面図を示す。
【図４】は、（図３）の盲らキャップ５を外し、チューブ入り再生剤７をＯリング８介して固定した軟水器付洗面器の断面図を示す。
【図５】は、バケツ状容器部の断面図を示す。
【図６】は、洗面器１０の見取図を示す。
【図７】は、洗面器固定ねじ２２の見取図を示す。
【図８】は、筒状メッシュ部の見取図を示す。
【図９】は、散水円板２４の見取図を示す。
【図１０】は、円板状布メッシュ２５の見取図を示す。
【図１１】は、チューブ入り再生剤７の見取図を示す。
【符号の説明】
１：水道水蛇口          ２：導管ホース          ３：導管ホース止めネジ
４：水道水導入口金      ５：盲らキャップ        ６：バケツ状容器
７：チューブ入り再生剤  ８：Ｏリング            ９：Ｏリング
１０：洗面器            １１：筒状メッシュ環    １２：ネジ
１３：筒状メッシュ      １４：引っ張りバネ      １５：Ｏリング
１６：バネかけ          １７：水抜き栓          １８：Ｏリング
１９：Ｏリング        ２０：ゴムパッキン押さえ  ２１：円板状ゴムパッキン
２２：洗面器固定ねじ    ２３：Ｏリング          ２４：散水円板
２５：円板状布メッシュ  ２６：イオン交換樹脂    ２７：導パイプ
【図１】
2004216084.tif 000003
【図２】
2004216084.tif 000004
【図３】
2004216084.tif 000005
【図４】
2004216084.tif 000006
【図５】
2004216084.tif 000007
【図６】
2004216084.tif 000008
【図７】
2004216084.tif 000009
【図８】
2004216084.tif 000010
【図９】
2004216084.tif 000011
【図１０】
2004216084.tif 000012
【図１１】
2004216084.tif 000013